【手続補正書】
【提出日】平成16年12月8日(2004.12.8)
【手続補正１】
【補正対象書類名】明細書
【補正対象項目名】発明の名称
【補正方法】変更
【補正の内容】
【発明の名称】小便器用消臭剤の設置方法および小便器用消臭剤並びに設置器具
【手続補正２】
【補正対象書類名】明細書
【補正対象項目名】特許請求の範囲
【補正方法】変更
【補正の内容】
【特許請求の範囲】
【請求項１】
小便器の排水管の入口を覆う目皿よりも下に消臭剤を配置することを特徴とする小便器用消臭剤の設置方法。
【請求項２】
小便器の排水管の入口あるいは目皿に引っかけて消臭剤を配水管内に吊り下げることを特徴とする請求項１記載の小便器用消臭剤の設置方法。
【請求項３】
小便器の排水管の内寸よりも小さな消臭剤と、該消臭剤を支持する消臭剤設置器具とから成り、前記設置器具は前記排水管の入口あるいは目皿に引っ掛かり、前記排水管の途中に前記消臭剤を吊り下げるものである小便器用消臭剤。
【請求項４】
前記消臭剤設置器具は前記配水管の入口に引っかかるリング状の係止手段と、前記排水管内に挿入される大きさで前記消臭剤を収納する容器とを有し、前記消臭剤を排水管の途中に位置させるようにしたものである請求項３記載の小便器用消臭剤。
【請求項５】
前記消臭剤設置器具は前記係止手段の一部を下方に突出した形状に一体形成し、この突出部の下端を前記消臭剤の収納が可能な篭形状として前記消臭剤を排水管の途中に位置させるようにしたものである請求項４記載の小便器用消臭剤。
【請求項６】
前記係止手段は目皿を兼ねるものである請求項３記載の小便器用消臭剤。
【請求項７】
小便器の排水管の入口あるいは目皿に引っ掛かる係止手段と、前記係止手段に吊り下げられて消臭剤を支持する支持手段とを備え、前記支持手段に支持される前記消臭剤を前記排水管の中に吊り下げることを特徴とする小便器用消臭剤設置具。
【請求項８】
前記係止手段は前記排水管の入口に引っ掛かるリング状であると共に、前記支持手段は前記消臭剤を収納可能な籠形状の容器である請求項７記載の小便器用消臭剤設置具。
【請求項９】
前記係止手段と前記籠形状の容器とは一体成形されている請求項８記載の小便器用消臭剤設置具。
【手続補正３】
【補正対象書類名】明細書
【補正対象項目名】０００５
【補正方法】変更
【補正の内容】
【０００５】
【課題を解決するための手段】
かかる目的を達成するため、本発明は、小便器の排水管の入口を覆う目皿よりも下に消臭剤を配置するようにしている。より好ましくは、小便器の排水管の入口あるいは目皿に引っかけて消臭剤を配水管内に吊り下げるようにしている。
また、この消臭剤の設置方法は、例えば、小便器の排水管の内寸よりも小さな消臭剤と、該消臭剤を支持する消臭剤設置器具とから成り、設置器具が排水管の入口あるいは目皿に引っ掛かり、排水管の途中に消臭剤を吊り下げる小便器用消臭剤によって達成される。ここで、消臭剤設置器具は配水管の入口に引っかかるリング状の係止手段と、排水管内に挿入される大きさで消臭剤を収納する容器とを有し、消臭剤を排水管の途中に位置させるようにしたもの、あるいは消臭剤設置器具は係止手段の一部を下方に突出した形状に一体形成し、この突出部の下端を消臭剤の収納が可能な篭形状として消臭剤を排水管の途中に位置させるようにしたものであることが好ましい。更には、係止手段は目皿を兼ねるものであることが好ましい。
また、本発明の設置方法は、例えば、小便器の排水管の入口あるいは目皿に引っ掛かる係止手段と、係止手段に吊り下げられて消臭剤を支持する支持手段とを備え、支持手段に支持される消臭剤を排水管の中に吊り下げる小便器用消臭剤設置具によっても容易に実現できる。ここで、小便器用消臭剤設置具の係止手段は排水管の入口に引っ掛かるリング状であると共に、支持手段は消臭剤を収納可能な籠形状の容器であることが好ましく、より好ましくは係止手段と籠形状の容器とを一体成形することである。
さらに、消臭剤の大きさは排水管の内寸よりも小さければ十分であるが、排水の妨げとならないように排水管との間に排水可能な隙間が当初から生ずる大きさないし形状であることが好ましい。
【手続補正４】
【補正対象書類名】明細書
【補正対象項目名】０００８
【補正方法】変更
【補正の内容】
【０００８】
また本発明によると、小便器用消臭剤を小便器に設置する際は、支持手段によって支持されている消臭剤を排水管に落とし込むように挿入してから、係止手段を入口に引っ掛けるだけでよい。したがって、設置動作が簡単であるし、様々な形状の排水管に対しても広く対応しやすい。また、設置深さの調整も簡単に行うことができる。
【手続補正５】
【補正対象書類名】明細書
【補正対象項目名】０００９
【補正方法】変更
【補正の内容】
【０００９】
また本発明において、係止手段が排水管の入口の上部を覆う目皿を兼ねるものであることが好ましい。この場合には、排水管の途中に消臭剤が位置することで強い臭気の発生や尿のはね返りなどが防止されることに加え、目皿が係止手段を兼用しているため、この目皿を取り上げれば消臭剤なども一緒に取り外すことができて簡便である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００４５
【補正方法】変更
【補正の内容】
【００４５】
【発明の効果】
以上の説明より明らかなように、本発明によれば、通常は小便器の目皿周辺に放置されるにすぎない消臭剤を目皿よりも下に消臭剤を配置する例えば目皿下にある排水管内に吊り下げた状態で設置するので、消臭剤と臭気との接触領域が大きくなり、この臭気を有効に消臭することができる。
【手続補正１４】
【補正対象書類名】明細書
【補正対象項目名】００４６
【補正方法】変更
【補正の内容】
【００４６】
さらにこの発明によれば、目皿よりも下に消臭剤を配置するため目障りになることがなく、また尿が直接かけられることもないためはね返りも防止される。また、目皿周辺での汚れの付着が生じ難いし、目詰まりも起こり難いので清掃作業の面においても楽である。更に尿が直接かからないことによって、尿を吸着し臭気を濃縮してしまう現象を防止できる。しかも、係止手段を有することから排水管上部に取り付けるのが容易で、かつ排水を妨げることはなく、また設置具自体が排水管に落ち込むこともない。
【手続補正１５】
【補正対象書類名】明細書
【補正対象項目名】００４７
【補正方法】変更
【補正の内容】
【００４７】
また本発明によると、消臭剤を排水管に設置する作業が簡単になる。また、様々な形状の排水管に対しても広く対応しやすいし、消臭剤の設置深さの調整も簡単に行うことができる。
【手続補正１６】
【補正対象書類名】明細書
【補正対象項目名】００４８
【補正方法】変更
【補正の内容】
【００４８】
さらに本発明によると、排水管の途中に消臭剤を位置させることで強い臭気の発生や尿のはね返りなどを防止できることに加え、係止手段が目皿を兼用しているため、この目皿を取り上げれば消臭剤なども一緒に取り外すことができて簡便である。
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５２
【補正方法】変更
【補正の内容】
【００５２】
また本発明では、小便器に設置する際はまず消臭剤を排水管に落とし込み、あとは係止手段を入口に引っ掛けるだけでよく、手間がかからない。
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】